(57)【要約】【課題】洗車用具の片付け具合が洗浄作業者の資質に左右されず、洗車作業効率も改善されるようにして、便利で使い勝手が良く、コストや設置スペース、洗車仕上がり具合において有利人為洗車設備や、それを構築するに好適な洗車用構造体を開発して提供する。【解決手段】自動車前後方向に沿って延びる縦レール部７ａ、及び自動車幅方向に沿って延びる横レール部７ｂを、これら両者７ａ，７ｂが滑らかに連続される状態で有し、かつ、下方に洗車用スペースＳが配置される状態に宙吊り支持される移動用レール７と、移動用レール７に沿っての移動が自在な状態で移動用レール７に支持される複数の駒部材１０と、先端にノズル１３を有し、かつ、基端に洗車装置への接続口１４を有してゴムホース部分１２ａが複数の転動フック１０に支持される可撓ホース１２とから、人為洗車設備に好適となる洗車用構造体を構成する。【選択図】図７
2008055923.tif 000002
【特許請求の範囲】
【請求項１】
自動車前後方向に沿って延びる縦レール部、及び自動車幅方向に沿って延びる横レール部を、これら両者が滑らかに連続される状態で有し、かつ、下方に洗車用スペースが配置される状態に宙吊り支持される移動用レールと、
先端に流体の噴出部が、かつ、基端に流体の被供給部が夫々装備されて成る可撓ホースにおけるホース長手方向中間部分の係止が自在なホース支持部を有するとともに、前記移動用レールに沿っての移動が自在な状態で前記移動用レールに支持される複数の駒部材と、
を有して構成されている洗車用構造体。
【請求項２】
自動車前後方向に沿って延びる縦レール部、及び自動車幅方向に沿って延びる横レール部を、これら両者が滑らかに連続される状態で有し、かつ、下方に洗車用スペースが配置される状態に宙吊り支持される移動用レールと、
前記移動用レールに沿っての移動が自在な状態で前記移動用レールに支持される複数の駒部材と、
先端に流体の噴出部を有し、かつ、基端に流体の被供給部を有する状態でホース長手方向の中間部分が前記複数の駒部材に支持される可撓ホースと、
を有して構成されている洗車用構造体。
【請求項３】
前記可撓ホースが複数装備されている請求項２に記載の洗車用構造体。
【請求項４】
前記複数の可撓ホースのうちの少なくとも一つが、圧水供給機構の水供給部に接続自在に構成されている請求項３に記載の洗車用構造体。
【請求項５】
前記複数の可撓ホースのうちの少なくとも一つが、洗浄液供給機構の洗浄液供給部に接続自在に構成されている請求項３に記載の洗車用構造体。
【請求項６】
前記複数の可撓ホースは、圧水供給機構の水供給部に接続自在な高圧水用ホースと、洗浄液供給機構の洗浄液供給部に接続自在な洗浄液用ホースと、を有している請求項３に記載の洗車用構造体。
【請求項７】
前記移動用レールの上下方向視形状がループ状、又は一対の縦レール部分を有するＵ字状を呈する状態に構成されている請求項１〜６の何れか一項に記載の洗車用構造体。
【請求項８】
前記移動用レールは、上下向きのウェブの上下夫々に水平向きのフランジを有する姿勢で屈曲形成されるＨ形鋼を有して構成されており、前記駒部材は、前記ウェブの左右夫々において下側のフランジ上を転がり移動自在な一対以上のローラと、前記可撓ホースの長手方向中間部分を挿通支持するホース支持部と、を有する転動フックに構成されている請求項１〜７の何れか一項に記載の洗車用構造体。
【請求項９】
前記移動用レールは、その上側において前記移動用レールを吊下げ支持する横向き支持部と、この横向き支持部の一側方にて下端部が地面に固定支持される状態で前記横向き支持部を片持ち支持する縦向き支柱部材と、によって宙吊り支持されている請求項１〜８の何れか一項に記載の洗車用構造体。
【請求項１０】
請求項１〜９の何れか一項に記載の洗車用構造体と、これの前記可撓ホースの前記被供給部に接続自在な流体供給部を有する洗浄装置と、を有して成る人為洗車設備。
【請求項１１】
請求項１〜９の何れか一項に記載の洗車用構造体と、これの前記移動用レールの下方における地面に形成される洗車ポートと、前記移動用レールの中心域を下方投影された状態で前記洗車ポートに示す表示手段と、を有して成る人為洗車設備。
【発明の詳細な説明】
【技術分野】
【０００１】
本発明は、ガソリンスタンドやセルフ洗車場、或いはタクシー会社等へ設置するに好適な洗車用構造体、並びにこれを用いた人為洗車設備に関するものである。
【背景技術】
【０００２】
従来の洗車機としては、特許文献１や２において開示されるように、地面に敷設された一対のレール上で往復移動自在な門型の洗車装置を備えた自動洗車機が知られている。洗車装置は、左右一対と上方に配置される回転ブラシやエアブロー機構等を有しており、一対のレール間の所定位置に停車されている自動車に洗浄液や濯ぎ水を撒いて回転ブラシを回転させながら自動車の前後方向に往復移動させることにより、自動的に自動車の洗車及び乾燥を行うものである。このような自動洗車機は、一般には、ガソリンスタンド等に装備されている例が多い。
【０００３】
このような自動洗車機は、自動車を所定の位置に停車させてから起動スイッチを入れるだけで、自動車の外回りの洗浄から仕上げの乾燥迄の作業を自動的に、かつ、迅速に行える便利なものである。その洗車している間、運転者は車内に居て洗浄機械の動きを内側から眺めるも良し、待合室等でドリンクを飲みながら休憩しているも良しである。しかしながら、自動洗車機は当然に有料であるとともに、高速回転する回転ブラシによって自動車の塗装が痛み易いという慢性的な問題を有している。また、経営サイドとしては、自動洗車機を設置するに当っては、大きな敷設スペースを要し、かつ、コストも高く付くものであるとともに、その割りには収益率は芳しくない面があり、小型店等の収益率の低い店では導入し難いものであった。
【０００４】
そこで、特許文献３において開示されるように、水道水利用の洗浄具と乾燥具とを、人為操作自在に移動可能なフレームに備えて成る人為洗車設備（手動式洗車装置）を設けることも試されている。人為作業によって洗車する手段は、必要スペースが自動洗車機を設置する場合に比べて明確に小さくて済むとともに、自動車ユーザー或いはガソリンスタンド店員のいずれが洗車作業するにしても、自動式に比べて塗装の傷みも無くきめ細かに洗車できる点で根強い人気があり、自動洗車機が装備されている店でも人為作業による洗車を頼む顧客が以外に多いという程である。この場合、店に頼む場合の洗車料金は自動洗車機の料金よりも高くなるが、ユーザー自ら行えば無料で済むという利点が選択できるためか、人為洗車設備の設置を望む声も増えてきている。
【０００５】
ところが、現行の一般的な人為洗車設備による場合は、自動車全体への洗浄液の供給とスポンジ等の洗浄用具による拭き洗い掃除、並びに水道水による濯ぎ洗浄等の一連の洗車作業を１人で行うことが殆どであるから、洗車に多くの時間が掛かって作業効率が芳しくない（従って、次に人為洗浄設備を使う予定の方の待ち時間も長くなる）不利がある。加えて、作業者によっては使用後の洗車ホース類の片付け状態が悪いことがあり、そのことに起因して次の作業者にとって使い勝手が悪いとか、散らばっている等の保管状態の悪さによって洗車ホース等の用具類の耐久性に悪影響が及ぶおそれもあり、人為洗車設備においても改善の余地が残されていた。
【特許文献１】特開平７−８１５３１号公報
【特許文献２】特開平９−２９０７１１号公報
【特許文献３】特開２００４−２３１０５５号公報
【発明の開示】
【発明が解決しようとする課題】
【０００６】
本発明の目的は、コストや設置スペース、及び洗車仕上がり具合において有利な人為洗車設備に着目するものであり、洗車用具の後片付け具合が洗浄作業者の資質に左右されることが殆ど無く、また洗車作業効率も改善されるようにして、従来の欠点が解消されて便利で使い勝手の良い人為洗車設備や、それを構築するに好適な洗車用構造体を開発して提供する点にある。
【課題を解決するための手段】
【０００７】
請求項１に係る発明は、洗車用構造体において、
自動車前後方向に沿って延びる縦レール部７ａ、及び自動車幅方向に沿って延びる横レール部７ｂを、これら両者７ａ，７ｂが滑らかに連続される状態で有し、かつ、下方に洗車用スペースＳが配置される状態に宙吊り支持される移動用レール７と、
先端に流体の噴出部１３が、かつ、基端に流体の被供給部１４が夫々装備されて成る可撓ホース１２におけるホース長手方向中間部分の係止が自在なホース支持部１６を有するとともに、前記移動用レール７に沿っての移動が自在な状態で前記移動用レール７に支持される複数の駒部材１０と、
を有して構成されていることを特徴とするものである。
【０００８】
請求項２に係る発明は、洗車用構造体において、
自動車前後方向に沿って延びる縦レール部７ａ、及び自動車幅方向に沿って延びる横レール部７ｂを、これら両者７ａ，７ｂが滑らかに連続される状態で有し、かつ、下方に洗車用スペースＳが配置される状態に宙吊り支持される移動用レール７と、
前記移動用レール７に沿っての移動が自在な状態で前記移動用レール７に支持される複数の駒部材１０と、
先端に流体の噴出部１３を有し、かつ、基端に流体の被供給部１４を有する状態でホース長手方向の中間部分１２ａが前記複数の駒部材１０に支持される可撓ホース１２と、
を有して構成されていることを特徴とするものである。
【０００９】
請求項３に係る発明は、請求項１又は２に記載の洗車用構造体において、前記可撓ホース１２が複数装備されていることを特徴とするものである。
【００１０】
請求項４に係る発明は、請求項３に記載の洗車用構造体において、前記複数の可撓ホース１２のうちの少なくとも一つが、圧水供給機構２２の水供給部２２ａに接続自在に構成されていることを特徴とするものである。
【００１１】
請求項５に係る発明は、請求項３に記載の洗車用構造体において、前記複数の可撓ホース１２のうちの少なくとも一つが、洗浄液供給機構２１の洗浄液供給部２１ａに接続自在に構成されていることを特徴とするものである。
【００１２】
請求項６に係る発明は、請求項３に記載の洗車用構造体において、前記複数の可撓ホース１２は、圧水供給機構２２の水供給部２２ａに接続自在な高圧水用ホース１２と、洗浄液供給機構２１の洗浄液供給部２１ａに接続自在な洗浄液用ホース１２と、を有していることを特徴とするものである。
【００１３】
請求項７に係る発明は、請求項１〜６の何れか一項に記載の洗車用構造体において、前記移動用レール７の上下方向視形状がループ状、又は一対の縦レール部分７ａ，７ａを有するＵ字状を呈する状態に構成されていることを特徴とするものである。
【００１４】
請求項８に係る発明は、請求項１〜７の何れか一項に記載の洗車用構造体において、前記移動用レール７は、上下向きのウェブ７ｗの上下夫々に水平向きのフランジ７ｆを有する姿勢で屈曲形成されるＨ形鋼７Ａを有して構成されており、前記駒部材１０は、前記ウェブ７ｗの左右夫々において下側のフランジ７ｆ上を転がり移動自在な一対以上のローラ１５と、前記可撓ホース１２の長手方向中間部分１２ａを挿通支持するホース支持部１６と、を有する転動フックに構成されていることを特徴とするものである。
【００１５】
請求項９に係る発明は、請求項１〜８の何れか一項に記載の洗車用構造体において、前記移動用レール７は、その上側において前記移動用レール７を吊下げ支持する横向き支持部２と、この横向き支持部２の一側方にて下端部が地面に固定支持される状態で前記横向き支持部２を片持ち支持する縦向き支柱部材１と、によって宙吊り支持されていることを特徴とするものである。
【００１６】
請求項１０に係る発明は、人為洗車設備において、請求項１〜９の何れか一項に記載の洗車用構造体Ｋと、これの前記可撓ホース１２の前記被供給部１４に接続自在な流体供給部２１ａ，２２ａを有する洗浄装置と、を有して成ることを特徴とするものである。
【００１７】
請求項１１に係る発明は、人為洗車設備において、請求項１〜９の何れか一項に記載の洗車用構造体Ｋと、これの前記移動用レール７の下方における地面に形成される洗車ポート１１と、前記移動用レール７の中心域を下方投影された状態で前記洗車ポート１１に示す表示手段Ｈと、を有して成ることを特徴とするものである。
【発明の効果】
【００１８】
請求項１の発明によれば、ホース支持部を有する駒部材の複数が、宙吊り支持される移動用レールに支持されているから、それら複数の駒部材に、水や洗浄液等の洗車用流体を供給する可撓ホースのホース長手方向中間部分を支持させることが自在であり、それによって可撓ホースを移動用レールに吊設させることが可能になる。これによれば、可撓ホースが地面上において引き回されていた従来の手段に比べて、可撓ホースが引き回し易い状態が得られるとともに、自動車等の洗車対象に可撓ホースが引っ掛かって伸びないといった使い勝手の悪さも生じないようになるので、洗車対象への流体供給作業の効率化や迅速化を図ることが可能になる。そして、移動用レールは、自動車前後方向に沿う縦レール部と、自動車幅方向に沿う横レール部とが円滑に連続される状態で有しているから、可撓ホースが吊下げられている駒部材を自動車の前後左右等に自在に引き回して使うことができ、可撓ホースを用いた洗車作業を、労力が軽減されて軽快で、かつ、効率良く行うことが可能になる。
【００１９】
また、可撓ホースの支持部を有する駒部材は、既存の可撓ホースや市販品の可撓ホースでも使用可能となるように汎用性を持たせることが可能である。その結果、洗車において必要となる可撓ホースの引き回し機能が大きく改善されて、可撓ホースの取扱い性が向上し、それによって洗車作業効率も改善されるようにして便利で使い勝手が良く、コストや設置スペース、及び洗車仕上がり具合において有利な人為洗車設備を構築するに好適な洗車用構造体を提供することができた。
【００２０】
請求項２の発明によれば、水や洗浄液等の洗車用流体を供給する可撓ホースが、宙吊り支持される移動用レールに支持されているから、地面を引き回していた従来の手段に比べて上から吊下げられている状態の可撓ホースが引き回し易いとともに、自動車等の洗車対象に引っ掛かって伸びないといった使い勝手の悪さが生じないので、洗車対象への流体供給作業の効率化や迅速化が可能になる。また、可撓ホースを使い終わった場合には、噴出部のみを所定の置き場所に置くだけで良く、ホース部分が散らかっているとか、元通りに片付けられていないといった不都合が生じ難いものとなっている。そして、移動用レールは、自動車前後方向に沿う縦レール部と、自動車幅方向に沿う横レール部とを円滑に連続される状態で有しているから、可撓ホースを吊下げた状態で自動車の前後左右等に自在に引き回して使うことができ、労力を軽減しながら軽快に可撓ホースを用いた洗車作業を効率良く行うことが可能になる。
【００２１】
その結果、洗車用具の後片付け具合が洗浄作業者の資質に左右されることが殆ど無く、また洗車作業効率も改善されるようにして便利で使い勝手が良く、コストや設置スペース、及び洗車仕上がり具合において有利な人為洗車設備を構築するに好適な洗車用構造体を提供することができた。
【００２２】
請求項３の発明によれば、可撓ホースが複数装備されているので、二人以上の作業者によって洗浄液等の洗車用流体の自動車への供給作業を迅速化させることが可能になり、人為による洗車作業の一層の効率化が可能となる洗車用構造体を提供することができる。この場合、請求項４のように、少なくとも一つの可撓ホースを圧水供給用にするとか、請求項５のように、少なくとも一つの可撓ホースを洗浄液供給用にしたり、或いは、請求項６のように、圧水供給用と洗浄液供給用との双方の可撓ホースを備えるようにして、洗車作業の多様化に対応させた便利な洗車用構造体とすることが可能である。
【００２３】
請求項７の発明によれば、移動用レールが、上下方向視形状がループ状、又は一対の縦レール部分を有するＵ字状を呈するものとされるので、可撓ホースの支持が自在な駒部材を自動車の形状に沿って移動させることができる。これにより、可撓ホースの洗車作業に伴う移動操作や後片付け等の取扱い操作がより行い易い利点のある洗車用構造を提供することができる。
【００２４】
請求項８の発明によれば、Ｈ形鋼を用いることで強度に優れる移動用レールが形成できるとともに、フランジ上を転がるローラを備えた転動フックでホース中間部分を支持させてあり、Ｈ形鋼の断面形状を利用して軽快に転がり移動する転動フックにより、可撓ホースを軽く、かつ、より移動させ易い使い勝手に優れる洗車用構造体とすることができる。
【００２５】
請求項９の発明によれば、下方に洗車用空間を形成する移動用レールを、その側方に起立配備される縦支柱部材による片持ち支持状態で宙吊り支持させてあるから、例えば両持ち支持構造のものに比べて、一側方に支柱が無いことから洗車用スペースへの自動車の出し入れがし易い、作業者が自動車の回りを動き回り易い、自動車等を支柱に衝突させるおそれが無い、スペースの有効利用がし易いといった利点があり、人為洗車作業の効率を促進させることが可能になる。
【００２６】
請求項１０の発明によれば、請求項１〜９の洗車用構造体と可撓ホースに接続される洗浄装置とを備えることにより、便利で使い勝手に優れ、しかも作業効率も良い人為洗車設備を提供することができる。この場合、請求項１１のように、移動用レールの中心域を表示する手段を洗車ポートに形成しておけば、洗車ポートにおける洗車作業のし易い位置に自動車を誘導案内することができ、自動車の洗車ポートへの出し入れ、及び洗車効率が更に改善されてより実用的な人為洗車設備とすることができる。
【発明を実施するための最良の形態】
【００２７】
以下に、本発明による洗車用構造体の実施の形態を、図面を参照しながら説明する。図１〜図４は洗車用構造体の主要部を示す図であり、図３のみ人為洗車設備として描いてある。図５は転動フックの構造図、図６は二人作業による洗車状況を示す作用図、図７は人為洗車設備の全体図、図８は移動用レールの別構造を示す要部の斜視図である。
【００２８】
本発明による人為洗車設備Ａは、言わば半自動半手動式の洗浄装置として機能するものであって、例えばガソリンスタンドの一角に配置される。この人為洗車設備Ａは、図１〜図４，及び図７に示すように、洗車ポート１１の側脇に置かれた自動車用の洗浄装置２０と、この洗浄装置２０から延設される一対の洗車ホース１２，１２と、洗車ポート１１の上方に宙吊り片持されて洗車用スペースＳを形成する長円形の移動用レール７と、これに移動自在に支持されて洗車ホース（可撓ホースの一例）１２のゴムホース部分１２ａを吊設支持する複数の駒部材１０等から構成されている。この人為洗車設備Ａから、洗浄装置２０、洗車ホース１２を除いた部分を洗車用構造体Ｋと称し、以下においては主に洗車用構造体Ｋについて説明する。
【００２９】
〔実施例１〕
実施例１による洗車用構造体Ｋは、防火塀Ｗ沿いに地面Ｇから立設された３本の縦支柱１と、これら縦支柱（縦向き支柱部材の一例）１の上下中間位置に一端が固定される３本の横支柱（横向き支持部の一例）２と、各横支柱２の他端と対応する縦支柱１の上端部とを繋ぐ３本の吊りロッド３と、横支柱２の固定部位において隣合う縦支柱１どうしを連結すべく上下の夫々に設けられる一対の短連結部材４，４と、各横支柱２の他端どうしを連結一体化する１本の長連結部材５と、斜交いに装備される種々の補強部材６と、３本の横支柱２に跨る状態でそれらの下側に固定される移動用レール７と、横支柱２の上側に装備される宣伝用（装飾用）の鋼板パネル８，９，８と、を有して構成されている。移動用レール７には、複数の転動フック１０が移動自在に吊設されている。
【００３０】
縦支柱１は、図３に示すように、その下端部がコンクリート等のウェイト１Ｗが一体化された状態で地中に埋設することで立設姿勢に支持されている。一つの縦鋼板パネル９と二つの横鋼板パネル８，８は、いずれもそれらの裏側（内側）に配置された梯子状の支持枠部１９，１８によって起立姿勢で支持されており、横鋼板パネル８，８や縦鋼板パネル９の夫々の外表面には宣伝や広告、或いは意匠等が施される。
【００３１】
図２、図５に示すように、移動用レール７は、一対の縦レール部７ａ，７ａと、湾曲した一対の横レール部７ｂ，７ｂとを有する上下方向視形状が長円のループ状を呈する状態にＨ形鋼（断面が逆Ｔ字状の形鋼でも良い）７Ａを屈曲加工して構成されており、その下方において地面に区切り形成されている洗車ポート１１との上下間に洗車用スペースＳを形成している。移動用レール７には、これに沿っての移動が自在な状態に支持される複数の転動フック（駒部材の一例）１０が転がり移動自在に吊設されており、各転動フック１０は、先端に流体の噴出部であるノズル１３を有し、かつ、基端に流体の被供給部である接続口部１４を有する可撓ホース１２のホース長手方向の中間部分を挿通支持している。
【００３２】
転動フック１０は、図５に示すように、Ｈ形鋼７Ａのウェブ７ｗの左右夫々において下側のフランジ７ｆ上を転がり移動自在な左右及び前後一対の計４個のローラ１５と、可撓ホース１２の長手方向中間部分、即ちゴムホース部分１２ａを挿通支持するホース支持部１６とを転動枠１７に有して構成されている。ホース支持部１６は、転動枠１７に上下軸心回りでの回動が可能に支承されており、ゴムホース部分１２ａは挿通して係止固定する。従って、可撓ホース１２を引張れば、それに追従して転動フック１０が移動用レール７に対して軽快に転動移動するようになる。
【００３３】
移動用レール７はある程度高さのある自動車（バンや小型トラック等）でも使用できるような高さ位置（地上２．５〜３ｍ位）で宙吊り支持されており、その下方の地面に設けられた洗車ポート１１との上下間が洗車スペースＳに形成されている。洗車ポート１１は、幅及び深さが共に微小な側溝１１ａで囲むことで平面視で矩形形状を呈するように回りの地面から区別された敷地領域として形成されており、移動用レール７の中心域を下方投影された状態で洗車ポート１１に示す表示手段Ｈが装備されている。
【００３４】
表示手段Ｈは、図１等に示すように、周囲と異なった材料による平面部分、例えばモルタル仕上げの洗車ポート１１において、部分的に色付コンクリートレンガ等の目印体２８を縦列させて敷設する、といったことで構成される。洗車ポート１１に洗車対象となる自動車を移動させる場合には、丁度表示手段Ｈの真上に位置するように自動車を移動させて駐車させることにより、洗車作業が行い易くなるように、平面視形状が長円形の移動用レール７の中心又はほぼ中心に自動車を比較的簡単に位置させることができる、という利点が得られる。
【００３５】
上記の洗車用構造体Ｋを用いて人為洗車設備Ａとするには、図７に示すように、移動用レール７に対応する洗車ポート１１を地面に形成した状態で、一対の洗車ホース１２，１２の基端側の接続口部１４を、隣合う縦支柱１，１間に配置されている洗浄装置２０の流体供給部である吐出口（洗浄液供給部や水供給部の一例）２１ａ，２２ａに接続連結することにより構成される。洗浄装置２０は、洗浄液供給機構２１、圧水供給機構２２、切換弁２３等が内臓される装置本体２４と、これとは別体の操作ボックス２５とから構成されている。装置本体２４には、高温高圧の水蒸気を供給する機構や、洗浄後の乾燥を促進させるエアブロー機構を設けても良い。
【００３６】
起立装備されている操作ボックス２５には、一対の洗車ホース１２，１２の起動、停止を司るスイッチ群２６や、石鹸水等の洗浄液、水（水道水）、高圧水（撥水）の各種作動スイッチ、及び呈しスイッチ等のスイッチ群２７が配備されている。また、各洗車ホース１２は、接続口部１４と、ゴムホース部分１２ａと、ノズル１３とを有するとともに、ゴムホース部分１２ａが複数の転動フック１０に吊設されている。尚、２９は合成樹脂材等によって成形されている水桶である。
【００３７】
次に、上述の人為洗車設備Ａを用いた二人作業による洗車作業の例を図６に示す。図６は、洗車ポート１１に駐車されている洗車対象である自動車Ｂの両サイドに作業者ｍ、ｍが位置し、夫々が洗車ノズル１３を持って自動車Ｂに洗浄液を吹き付けている状況を示している。尚、ノズル１３からは、切換弁２３等による切換機能により、水や洗浄液や高圧水が択一的に噴出されるようになっている。
【００３８】
一般的な人為洗車は、まず自動車全体に水を掛けて砂や泥等を落とすとともに、汚れを落とし易くすべく膨潤させる。それから洗浄液供給機構２１を作動させて石鹸水や洗剤液等の洗浄液を撒くのであり、この洗浄液散布工程が図６に示す状況である。そして、洗浄液が塗された状態の自動車を、スポンジやウェス等の拭取り具を用いてボディーを拭き擦りして洗浄し、その拭取り工程の終了後に圧水供給機構２２を作動させて高圧水をボディーに噴き付け、残りの汚れや洗浄液を除去する。最後に拭取るか又は送風によって迅速に残存水分を除去するか、或いは自然乾燥させ、人為作業による一連の洗車作業が終了する。
【００３９】
そして、使い終わった洗車ホース１２，１２は、その先端のノズル１３を、水桶２９に浸けておくだけで良く、地面に散らばっているゴムホース部分を巻き取る面倒で汚れる後片付けが不要である。従って、面倒臭がりな作業者であっても迅速にしかも汚したり散らかしたままにすることなくクリーンな状態で作業を終了したり、或いは次の作業者に交代したりすることができる。
【００４０】
〔別実施例〕
移動用レール７は、図８に示すように、左右一対の縦レール部分７ａ，７ａと、これらを繋ぐ湾曲した横レール部分７ｂとから成り、上下方向視の形状がＵ字状を呈するものでも良い。補強のために角パイプなどによる補強体３０の下面に移動用レール７を固定させる構造としても良い。この場合でも、転動フック１０は移動用レール７の端から端まで移動することが自在であり、二組の洗車ホース１２，１２を移動用レール７のどの位置にも移動させて使用することができる。
【００４１】
図示は省略するが、移動用レール７は、一つの縦レール部分と一つの横レール部分とを有するＬ字形状のものや、半円形等の一続きで有端の形状でも良い。洗車ホース１２を三つ以上装備したり、夫々専用の可撓ホース（水供給ホース、洗浄液供給ホース、高圧水又は水蒸気供給ホース、圧搾空気供給ホース等）を複数備える構造でも良い。表示手段Ｈの目印体２８としては、マーキング、塗装、凹凸起伏等の模様やデザイン、表示灯等、種々のものが採用可能である。また、駒部材１０は、移動用レール７に摺動移動自在に装備される構造のものでも良い。
【００４２】
洗車用構造体Ｋとしては、自動車前後方向に沿って延びる縦レール部７ａ、及び自動車幅方向に沿って延びる横レール部７ｂを、これら両者７ａ，７ｂが滑らかに連続される状態で有し、かつ、下方に洗車用スペースＳが配置される状態に宙吊り支持される移動用レール７と、先端に流体の噴出部１３が、かつ、基端に流体の被供給部１４が夫々装備されて成る可撓ホース１２のホース長手方向中間部分の係止が自在なホース支持部１６を有するとともに、移動用レール７に沿っての移動が自在な状態で移動用レール７に支持される複数の駒部材１０と、から成るもの（可撓ホースは有さず）でも良い。
【図面の簡単な説明】
【００４３】
【図１】実施例１による洗車用構造体の主要部を示す見下ろしの斜視図
【図２】図１の洗車用構造体の見上げ斜視図
【図３】図１の洗車用構造体の断面側面図
【図４】図１の洗車用構造体の正面図
【図５】移動用レールと転動フックとの係合部分を示す図
【図６】二人作業で自動車の洗車作業を行う状態を示す作用図
【図７】各洗車ホースが洗浄機に接続された人為洗車設の状態を示す全体図
【図８】移動用レールの別構造を示す平面図（別実施例）
【符号の説明】
【００４４】
１          縦向き支柱部材
２          横向き支持部
７          移動用レール
７ａ        縦レール部分
７ｂ        横レール部分
１０        駒部材
１１        洗車ポート
１２        可撓ホース
１２ａ      中間部分
１３        噴出部
１４        被供給部
１６        ホース支持部
２１        洗浄液供給機構
２１ａ      洗浄液供給部
２２        圧水供給機構
２２ａ      水供給部
Ａ          人為洗車設備
Ｈ          表示手段
Ｋ          洗車用構造体
Ｓ          洗車用スペース
【図１】
2008055923.tif 000003
【図２】
2008055923.tif 000004
【図３】
2008055923.tif 000005
【図４】
2008055923.tif 000006
【図５】
2008055923.tif 000007
【図６】
2008055923.tif 000008
【図７】
2008055923.tif 000009
【図８】
2008055923.tif 000010